(57)【要約】      （修正有）【課題】取外板を有した電気コネクタであって、特に、電気コネクタが回路基板に接続された時、取外板が吸引装置に押さえられても損壊しない電気コネクタを提供する。【解決手段】取外板3を有した電気コネクタ2は絶縁本体21と複数の端子212と押圧カバー24と取外板とを備え、前記端子は前記絶縁本体の中に収容され、前記押圧カバーは積体回路を固着させ、前記取外板は電気コネクタから取り外しでき、且つ、電気コネクタの押圧カバーに取り付けて係合され、真空吸引装置のその上に操作する平面が設けられ、また、前記平面から離れる方向へ凸塊が設けられ、該凸塊が押圧カバーに押さえられる。凸塊の支持作用によって、取外板の吸引装置が操作する時圧砕されることを防止し、これにより、取外板の操作が順調に行われることを保証する。【選択図】図４
0003102357.tif 000002
【実用新案登録請求の範囲】
【請求項１】
絶縁本体と、
前記絶縁本体に収容される複数の端子と、
前記絶縁本体に装着される押圧カバーと、
前記押圧カバーに装着され、中央に平面を有し、前記平面から離れる所に凸塊が設けられ、且つ、前記凸塊が押圧カバーに押さえられる取外板と、
を備えることを特徴とする取外板を有した電気コネクタ。
【請求項２】
取外板は回りの所に複数の係合フックが設けられ、係合フックが押圧カバーに係合できることを特徴とする請求項１に記載の取外板を有した電気コネクタ。
【請求項３】
取外板は回りの所に複数の貫通穴が開設されることを特徴とする請求項２に記載の取外板を有した電気コネクタ。
【請求項４】
前記取外板の係合フックが第１係合フックと第２係合フックを含み、前記取外板の相対する両端に第１端部と第２端部を含み、前記第１係合フックが第１端部に設けられ、前記第２係合フックが第２端部に設けられることを特徴とする請求項３に記載の取外板を有した電気コネクタ。
【請求項５】
前記貫通穴は第１貫通穴と第２貫通穴と第３貫通穴と第４貫通穴と第５貫通穴と第６貫通穴とを含むことを特徴とする請求項４に記載の取外板を有した電気コネクタ。
【請求項６】
前記第１貫通穴は前記第１端部の相対しての両端に設けられ、第１係合フックは第１貫通穴と第１端部の長い側辺との間の相対する隣壁から垂直に延伸し、且つ、第２端部の相対する両端に一対位置決め塊が対称的に凸設されることを特徴とする請求項５に記載の取外板を有した電気コネクタ。
【請求項７】
前記第２貫通穴は三角形をし、第１端部の一端且つ第１貫通穴に近付く所に設けられることを特徴とする請求項５に記載の取外板を有した電気コネクタ。
【請求項８】
前記第３貫通穴は矩形をし、第１端部に開設され、且つ、第１端部の長さの方向に沿って延伸することを特徴とする請求項５に記載の取外板を有した電気コネクタ。
【請求項９】
前記第４貫通穴は「Ｔ」形をし、第２端部に開設され、第２係合フックは第４貫通穴と第２端部の長い側辺との間の相対する隣壁から垂直に延伸することを特徴とする請求項５に記載の取外板を有した電気コネクタ。
【請求項１０】
前記第６貫通穴は取外板の第１端部と第２端部の間の相対する両側辺に開設され、凸塊はアーチ形をし、且つ、第６貫通穴の外側に第６貫通穴と平行の方向に沿って伸びて設けられることを特徴とする請求項５に記載の取外板を有した電気コネクタ。
【請求項１１】
前記第６貫通穴が取外板の第１端部と第２端部の間の相対する両側辺に開設され、凸塊が円柱形をしていることを特徴とする請求項５に記載の取外板を有した電気コネクタ。
【請求項１２】
前記第１端部は長い側辺の中部からアーク形線に沿って外部に向けて延伸部に曲って伸びることを特徴とする請求項４に記載の取外板を有した電気コネクタ。
【請求項１３】
前記押圧カバーの相対しての両側辺は第１側辺と第２側辺で、第１側辺の中部からアーク形線に沿って外部に向けて合わせ部に曲って伸び、第１側辺と第２側辺を連接しての相対する両側辺の中央部から前記絶縁本体の方向へ挟み部に突起して形成することを特徴とする請求項１２に記載の取外板を有した電気コネクタ。
【請求項１４】
前記押圧カバーは第２側辺にアーク形の両係合部に対称に設けられることを特徴とする請求項１３に記載の取外板を有した電気コネクタ。
【請求項１５】
取外板の第１フックは押圧カバーの第１側辺の両端に係合され、取外板の第２フックは押圧カバーの第２フックは押圧カバーの第２側辺の両係合部と位置決め部の間の所に係合され、取外板の位置決め塊は第２側辺の相対しての両端に干渉に係合され、取外板の凸塊は押圧カバーの挟持部の前記絶縁本体の方向へ突起して形成する凹溝に収容され、取外板の延伸部は押圧カバーの合わせ部に密着されることを特徴とする請求項１４に記載の取外板を有した電気コネクタ。
【請求項１６】
電気コネクタに装着され、中央部に滑らかで平らな平面が設けられ、平面から離れる方向に向けて凸塊が設けられ、相対する両端に第１端部と第２端部が設けられ、第１端部の相対する両端に第１フックが設けられ、第２端部の中部に第２フックが設けられることを特徴とする取外板。
【請求項１７】
前記取外板は押圧カバーの表面に装着され、凸塊が押圧カバーに押さえられることを特徴とする請求項１６に記載の取外板。
【請求項１８】
前記取外板の回りに複数の貫通穴が開設され、一つの貫通穴が第１端部に設けられ、第１フックが貫通穴と第１端部の長い側辺の間の相対する隣辺から伸び、もう一つの貫通穴が「Ｔ」形をし、且つ、第２端部の中部に開設され、第２フックが前記貫通穴と第２端部の長い側辺との間の相対する隣壁から伸びることを特徴とする請求項１７に記載の取外板。
【請求項１９】
前記第１端部の長い側辺の中央部はアーク形に沿って外に向けて台形の延伸部に曲って伸びることを特徴とする請求項１８に記載の取外板。
【請求項２０】
前記貫通穴は第１貫通穴と第２貫通穴と第３貫通穴と第４貫通穴と第５貫通穴と第６貫通穴とを含むことを特徴とする請求項１８に記載の取外板。
【請求項２１】
前記貫通穴は第１貫通穴は第１端部の相対する両端に設けられ、第１フックは第１貫通穴と第１端部の長い側辺との間の相対する隣壁から垂直に伸び、且つ、第２端部の相対する端部に一対位置決め塊が対称に凸設されることを特徴とする請求項２０に記載の取外板。
【請求項２２】
前記第２貫通穴は三角形をし、且つ、第１端部の一端且つ第１貫通穴に近付く所に開設されることを特徴とする請求項２０に記載の取外板。
【請求項２３】
前記第３貫通穴は矩形をし、且つ、第１端部に開設されるとともに第１端部の長さの方向に沿って伸びることを特徴とする請求項２０に記載の取外板。
【請求項２４】
前記第４貫通穴は「Ｔ」形をし、第２端部の中部に開設され、第２フックは第４貫通穴と第２端部の長い側辺との間の相対する隣壁から垂直に伸びることを特徴とする請求項２０に記載の取外板。
【請求項２５】
前記第６貫通穴は第１端部と第２端部との間の相対する両側辺に開設され、凸塊はアーチ形をし、第６貫通穴の外側に凸設され、第６貫通穴と平行の方向に沿って伸びることを特徴とする請求項２０に記載の取外板を有した電気コネクタ。
【請求項２６】
前記第６貫通穴は第１端部と第２端部との間の相対する両側辺に開設され、凸塊は円柱形をしていることを特徴とする請求項２０に記載の取外板を有した電気コネクタ。
【考案の詳細な説明】
【技術分野】
【０００１】
本考案は取外板を有した電気コネクタに関し、特に、電気コネクタが回路基板に接続された時、取外板が吸引装置に押さえられても損壊しない電気コネクタに関するものである。
【背景技術】
【０００２】
相関する技術は特許文献１及び特許文献２を参照すると、対接電気コネクタに使われる取外板であって、前記取外板にも脚部と係合フックとを備え、対接電気コネクタの絶縁本体に係合させ、こうして、電気コネクタを吸引することが実現できる。前記対接電気コネクタの全体のサイズはとても小さいので、対応して取外板のサイズもとても小さいのであって、実体に接近し、十分な強度を持って、真空吸引装置により取外板に力を加える時、割に大きい変形のために空気漏れをを発するおそれがなく、取外操作の順調に行うことに影響することはない。
【０００３】
図１と図２を参照すれば、ＬＧＡパッケージ（図示せず）を回路基板（図示せず）に電気に接続させる電気コネクタ８であって、複数の導電端子（図示せず）を収容している絶縁本体８１と、該絶縁本体８１の外部に覆われる補助片８４と、該補助片８４の相対する両端にそれぞれ装着される押圧カバー８２及び稼働アーム８３とを備える。前記絶縁本体８１の中部に導電部が設けられ、該導電部の中に導電端子が収容されている。押圧カバー８２と稼働アーム８３によってＬＧＡパッケージが前記絶縁本体８１の中に固着される。押圧カバー８２の相対する両側辺は第１側辺８２１と第２側辺８２２であって、第１側辺８２１と第２側辺８２２を連接しているもう両側辺の中央部から前記絶縁本体８１の方向へ挾み部８２３に突起し、該挾み部８２３はＬＧＡパッケージが前記絶縁本体８１に取り付けられる時、ＬＧＡパッケージに押圧させ、そこで、ＬＧＡパッケージが固定される。
【０００４】
電気コネクタ８が加工された後、従来技術の取外板９が電気コネクタ８に係合され、電気コネクタ８が回路基板に取り付けられる際に取外板９とコネクタ８は真空吸引装置により吸引された後、回路基板の所定位置に固着され、こうして、電気コネクタ８が該回路基板に取り付けられる。
【０００５】
電気コネクタ８が回路基板に取り付けられた後、取外板９を電気コネクタ８から取り外し、ＬＧＡパッケージが電気コネクタ８に取り付けられるとともに電気コネクタ８と電気に導通し、電気コネクタ８の導電端子と回路基板との間の機械及び電気の接続することによって、ＬＧＡパッケージと回路基板が電気に導通される。
【０００６】
従来技術の取外板９は電気コネクタ８の押圧カバー８２の大きさとほぼ同じ矩形の平板状構造であって、中央部に滑らかで平らな平面９１が設けられ、真空吸引装置が平面９１に操作でき、相対する両端に複数のフック９２が設けられる。前記取外板９はフック９２により、電気コネクタ８の押圧カバー８２の第１側辺と第２側辺に係合され、そして、電気コネクタ８に装着される。押圧カバー８２の挟み部８２３はコネクタ８の絶縁本体８１の方向へ突起し、押圧カバー８２との間に割に大きい隙間が形成される。真空吸引装置が取外板９の上面に操作する時、空気が取外板９と真空吸引装置の間の隙間から取外板９に入ることを防止し、且つ、真空吸引装置が取外板９対しての割に大きい吸引力を保証するために真空吸引装置は取外板９に割に大きい押さえ力を加えることによって、真空吸引装置と取外板９の平面９１の間の密着することが確保できる。
【０００７】
しかし、押圧カバー８２は第１側辺８２１と第２側辺８２２にだけ取外板９を支持し、押圧カバー８２の中央部の挟み部８２３と取外板９の間に割に大きい隙間７を有し、平面９１は取外板９の中央部に位置し、真空吸引装置が取外板９の平面９１に操作する時、取外板９は中央部が支持されなくて、圧砕されるあるいは変形するおそれがあって、空気の漏れるのを発生し、真空吸引装置と押圧カバー８２の間に密閉したの空気のない状態となられないので、取外する操作は順調に行なわれない。
【０００８】
対接電気コネクタに対して、ＬＧＡパッケージコネクタの取外板は割に大きく、薄く、且つ、強度が小さいので、吸引装置が操作する時、吸着力により、取外板を変形させるひいては圧砕させるおそれがあるので、取外する操作は順調に行なわれない。そこで、ＬＧＡパッケージコネクタに使われる改良な取外板を設計することが必要である。
【特許文献１】米国特許第５２４９９７７号明細書
【特許文献２】米国特許第５２０６２９５号明細書
【考案の開示】
【考案が解決しようとする課題】
【０００９】
本考案は操作が安全で、且つ、真空吸引装置がその上に操作を行うことができる取外板を提供することを目的とする。
【課題を解決するための手段】
【００１０】
本考案の取外板を使う電気コネクタはＬＧＡパッケージを回路基板に電気的に接続することができ、且つ、主に導電区を有している絶縁本体と押圧カバーとを備え、前記絶縁本体に複数の導電端子を収容している。取外板の中央部に平面が設けられ、且つ、取外板は前記平面から離れる方向に向けて凸塊が設けられ、取外板は電気コネクタの押圧カバーに装着され、前記凸塊が押圧カバーに押さえられる。
【考案の効果】
【００１１】
従来の技術に比較して、本考案の電気コネクタは以下の効果を有する。凸塊の支持作用によって、取外板の吸引装置が操作する時圧砕されることを防止し、そこで、取外板の操作の順調に行うのを確保する。
【考案を実施するための最良の形態】
【００１２】
図３〜図５を参照すると、本考案の取外板３を使う電気コネクタ２は複数の導電端子２１２を収容している絶縁本体２１と、絶縁本体２１の外側を被せている補助片２２と、前記補助片２２の相対する両側に取り組まれる押圧カバー及び作動アーム２５とを備える。
【００１３】
前記絶縁本体２１は長方形の平板状構造であって、中央部に導電部２１１が設けられ、導電部２１１に複数の端子収容溝（図示せず）が開設され、前記端子収容溝は複数の導電端子２１２を収容し、導電端子２１２が導電部２１１の表面から突起している。
【００１４】
絶縁本体２１は回路基板から離れる表面にＬＧＡパッケージ（図示せず）を搭載し、絶縁本体２１は導電端子２１２にり回路基板（図示せず）に電気に接続され、そして、導電端子２１２によりＬＧＡパッケージの導体と電気に接続し、そこで、ＬＧＡパッケージと回路基板の間の電気な接続が実現される。
【００１５】
押圧カバー２４は枠体の構造であって、その相対する両側辺は第１側辺２４１と第２側辺２４２であって、第１側辺２４１の中央部がアーク線に沿って合わせ部２４１１に曲って伸び、前記合わせ部２４１１に合わせ面２４１２が形成される。第２側辺２４２から半アーク形をしている断面の二つ係合部２４２１に対称に設けられ、前記二つ係合部２４２１の間にほぼ條状をしている位置決め部２４２２が設けられる。押圧カバー２４は第１側辺２４１と第２側辺２４２を連接している相対する両側辺の中央部から絶縁本体２１の方向へ突起し、挾み部２４２３が形成される。
【００１６】
本考案は取外板３は押圧カバー２４の大きさとほぼ同じ矩形の平板状構造であって、その中央部に吸引装置が操作を行うために滑らかで平らな平面３３が設けられ、回り所に複数の貫通孔３０と複数の係合フックが開設され、前記貫通孔３０は第１貫通孔３０１と第２貫通穴３０２と第３貫通孔３０３と第４貫通穴３０４と第５貫通孔３０５と第６貫通穴３０６とを含み、係合フックは第１係合フック３１１と第２フック３２１とを含んでいる。取外板３の相対ある両端は第１端部３１と第２端部３２であって、第１端部の相対する端部に一対矩形の貫通穴３０１が開設され、且つ、第１貫通孔３０１と第１端部３１の長い側辺との間の相対する隣壁から垂直に延伸する第１フック３１１が設けられる。第１端部３１の一端且つ第１貫通孔に近つく所に三角形の第２貫通孔３０２が開設され、且つ、前記第２貫通孔３０２は取外板３の整体を貫通することはない厚さである。第１端部３１の中央部が長さの方向に沿って一対矩形第３貫通孔３０３が対称に開設され、第１端部３１の長い側辺の中央部からアーク線に沿って外部に向けて台形の延伸部３４に曲って伸びている。
【００１７】
第２端部３２の中央部に「Ｔ」形の第４貫通孔３０４が開設され、且つ、第４貫通孔３０４と第２端部の長い側辺との間の相対する隣壁から垂直に延伸する第２係合フック３２１が設けられる。第２端部３２の相対する両端に対称的に一対位置決め塊３２２が凸設され、且つ、一対矩形の第５貫通孔３０５が対称に開設される。
【００１８】
第１端部３１と第２端部３２との間の相対する取外板３の両側辺に第１端部３１及び第２端部３２に垂直する方向に沿って、一列矩形の第６貫通孔３０６が対称的に設けられ、且つ、第６貫通孔３０６の外側に第６貫通孔３０６と平行する方向に沿って、アーチ形の凸塊３５が設けられ、且つ、前記凸塊３５は平面３３から離れる方向に向けて延伸している。
【００１９】
取外板３が電気コネクタに装着される時、先に取外板３の第１係合フック３２１を両係合部２４２１と位置決め部２４２２との間の押圧カバー２４の第２側辺押圧カバー２４２に係合させ、取外板３の位置決め塊３２２が第２側辺２４２の相対する両端に干渉に係合している。取外板３の延伸部３４は押圧カバー２４の配合面２４１２に被せ、取外板３の凸塊３５は押圧カバー２４の挟持部２４２３を絶縁本体２１の方向へ突起させて形成される凹溝に収容される。
【００２０】
電気コネクタ２を他の電子素子に搭載する時、真空吸盤を取外板３の中央部の平面３３に置かせ、取外板３及び電気コネクタ２を同時吸わせ、そして、回路基板の規定の所に置かせ、そこで、電気コネクタ２を回路基板に半田付けしている。
【００２１】
取外板３の第１端部３１と第２端部３２は押圧カバー２４の第１側辺２４１と第２側辺２４２にそれぞれ押圧されている。取外板３の凸塊３５は押圧カバー２４の挟持部２４２３に押圧され、前記挟持部２４２３の中央部が取外板３を支持している。真空吸盤が取外板３の平面３３に圧力を加える時、凸塊３５の支持作用により、取外板３が圧砕されることはない。そこで、取外操作の安全で順調な行いが保証できる。
【００２２】
図６と図７を参照すると、本考案の取外板の第２の実施方式は凸塊４５は円柱形をしてい、且つ、第６貫通孔３０６の外側に設けられる。
【００２３】
前記によると、凸塊を球状や円錐状や台状などに設けれれば、前記の効果を得ることができるので、再度、述べはしない。
【００２４】
総じて、本考案の多数の特徴及び長所など、その構造及び機能が共に前述の記載により掲げられている。また前記の説明は、本考案に基づきなしうる細部の修正或は変更など、いずれも本考案の請求範囲に属するものとする。
【産業上の利用可能性】
【００２５】
本考案は取外板を有した電気コネクタに関し、特に、電気コネクタが回路基板に接続された時、取外板が吸引装置に押さえられても損壊しない電気コネクタに関するものである。
【図面の簡単な説明】
【００２６】
【図１】本考案と相関する取外板の斜視図である。
【図２】本考案と相関する取外板を有した電気コネクタの側面視図である。
【図３】本考案の取外板を有した電気コネクタの分解斜視図である。
【図４】本考案の取外板の斜視図である。
【図５】本考案の取外板を電気コネクタの押圧カバーに被せて嵌合した側面視図である。
【図６】本考案の取外板の第２実施例の斜視図である。
【図７】本考案の第２実施例の取外板を電気コネクタの押圧カバーに被せて嵌合した側面視図である。
【符号の説明】
【００２７】
２  電気コネクタ
３、４  取外板
２１  絶縁本体
２２  補助板
２４  押圧カバー
２５  稼働アーム
３０  貫通穴
３１  第１端部
３２  第２端部
３３  平面
３４  延伸部
３５  凸塊
２１１  導電部
２１２  導電端子
２４１  第一側辺
２４２  第二側辺
３０１  第１貫通穴
３０２  第２貫通穴
３０３  第３貫通穴
３０４  第４貫通穴
３０５  第５貫通穴
３０６  第６貫通穴
３１１  第１フック
３２１  第２フック
３２２  位置決め塊
２４１１  合わせ部
２４１２  合わせ面
２４２１  係合部
２４２２  位置決め部
２４２３  挟み部
【図１】
0003102357.tif 000003
【図２】
0003102357.tif 000004
【図３】
0003102357.tif 000005
【図４】
0003102357.tif 000006
【図５】
0003102357.tif 000007
【図６】
0003102357.tif 000008
【図７】
0003102357.tif 000009